(57)【要約】【課題】  工事を不要に中断させることがない補強設計支援システムなどを提供する。【解決手段】  ファブリケータコンピュータ１００と、建設コンピュータ２００と、構造コンピュータ３００と、がネットワークで接続された補強設計支援システムである。ファブリケータコンピュータ１００は、鉄骨梁５００の貫通孔に適用可能な補強金具６００の型式を仮選定する仮選定部１０３と、仮選定部１０３によって補強金具の型式が仮選定された場合に、構造計算データを要求する構造計算データ要求をネットワークに送信する構造計算データ要求部１０４と、仮選定された補強金具の型式に属する補強金具の中から鉄骨梁を所定の耐力以上とする補強金具を選定する最終選定部１０９と、を具備する。また、構造コンピュータ３００は、ファブリケータコンピュータ１００から構造計算データ要求を受信した場合に、ファブリケータコンピュータ１００に構造計算データを送信する構造計算データ送信部を具備する。【選択図】          図２
2007164322.tif 000002
【特許請求の範囲】
【請求項１】
鉄骨梁の貫通孔に適用可能な補強金具の型式を仮選定する仮選定手段と、
前記仮選定手段によって補強金具の型式が仮選定された場合に、構造計算データを要求する構造計算データ要求をネットワークに送信する構造計算データ要求手段と、
前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
を具備するファブリケータコンピュータと、
前記ファブリケータコンピュータから構造計算データ要求を受信した場合に、前記ファブリケータコンピュータに構造計算データを送信する構造計算データ送信手段を具備する構造コンピュータと、
がネットワークで接続された補強設計支援システム。
【請求項２】
鉄骨梁の貫通孔に適用可能な補強金具の型式を仮選定する仮選定手段と、
前記仮選定手段によって補強金具の型式が仮選定された場合に、構造計算データを要求する構造計算データ要求をネットワークに送信する構造計算データ要求手段と、
前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
を具備し、
前記構造計算データ要求を受信した場合に、前記ファブリケータコンピュータに構造計算データを送信する構造計算データ送信手段を具備する構造コンピュータとネットワークを介して接続可能であるファブリケータコンピュータ。
【請求項３】
鉄骨梁の貫通孔に適用可能な補強金具の型式を仮選定する仮選定手段と、
前記仮選定手段によって補強金具の型式が仮選定された場合に、構造計算データを要求する構造計算データ要求をネットワークに送信する構造計算データ要求手段と、
前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
を具備するファブリケータコンピュータにネットワークを介して接続可能であり、
前記ファブリケータコンピュータから構造計算データ要求を受信した場合に、前記ファブリケータコンピュータに構造計算データを送信する構造計算データ送信手段を具備する構造コンピュータ。
【請求項４】
鉄骨梁の貫通孔に適用可能な補強金具の型式を仮選定する仮選定ステップと、
前記仮選定ステップによって補強金具の型式が仮選定された場合に、構造計算データを要求する構造計算データ要求をネットワークに送信する構造計算データ要求ステップと、
前記構造計算データ要求ステップによって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、
を有し、
前記構造計算データ要求を受信した場合に構造計算データを送信する構造計算データ送信手段を具備する構造コンピュータに、ネットワークを介して接続可能であるファブリケータコンピュータで実行し得るファブリケータコンピュータ用プログラム。
【請求項５】
鉄骨梁の貫通孔に適用可能な補強金具の型式を仮選定する仮選定ステップと、
前記仮選定ステップによって補強金具の型式が仮選定された場合に、構造計算データを要求する構造計算データ要求をネットワークに送信する構造計算データ要求ステップと、
前記構造計算データ要求ステップによって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、
を具備するファブリケータコンピュータにネットワークを介して接続可能な構造コンピュータで実行可能であり、
前記ファブリケータコンピュータから構造計算データ要求を受信した場合に、前記ファブリケータコンピュータに構造計算データを送信する構造計算データ送信ステップを有する構造コンピュータ用プログラム。
【請求項６】
鉄骨梁の貫通孔に適用可能な補強金具の型式を仮選定する仮選定ステップと、
前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、
を有する補強設計支援プログラム。
【請求項７】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記選定要求送信手段から送信された選定要求に対して、前記仮選定手段で仮選定された補強金具の型式の中から最終選定された補強金具を示すデータをネットワークから受信する選定結果受信手段と、
を具備するファブリケータコンピュータと、
前記ファブリケータコンピュータから選定要求を受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する構造コンピュータと、
を備えたことを特徴と補強設計支援システム。
【請求項８】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記選定要求送信手段から送信された選定要求に対して、前記仮選定手段で仮選定された補強金具の型式の中から最終選定された補強金具を示すデータをネットワークから受信する選定結果受信手段と、
を具備し、
前記選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、
前記最終選定手段で選定された補強金具を示すデータを送信する選定結果送信手段と、
を具備する構造コンピュータにネットワークを介して接続可能なファブリケータコンピュータ。
【請求項９】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記選定要求送信手段から送信された選定要求に対して、前記仮選定手段で仮選定された補強金具の型式の中から最終選定された補強金具を示すデータをネットワークから受信する選定結果受信手段と、
を具備するファブリケータコンピュータにネットワークを介して接続可能であり、
前記ファブリケータコンピュータから選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する構造コンピュータ。
【請求項１０】
鉄骨梁の貫通孔に適用可能な補強金具の型式を仮選定する仮選定ステップと、
前記仮選定ステップによって補強金具の型式が仮選定された場合に、補強金具についての選定要求をネットワークに送信する選定要求送信ステップと、
前記選定要求送信ステップから送信された選定要求に対して、前記仮選定ステップで仮選定された補強金具の型式の中から最終選定された補強金具を示すデータをネットワークから受信する選定結果受信ステップと、
を有し、
前記選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、
前記最終選定手段で選定された補強金具を示すデータを送信する選定結果送信手段と、
を具備する構造コンピュータに、ネットワークを介して接続可能なファブリケータコンピュータで実行されるファブリケータコンピュータ用プログラム。
【請求項１１】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記選定要求送信手段から送信された選定要求に対して、前記仮選定手段で仮選定された補強金具の型式の中から最終選定された補強金具を示すデータをネットワークから受信する選定結果受信手段と、
を具備するファブリケータコンピュータにネットワークを介して接続可能な構造コンピュータで実行可能であり、
前記ファブリケータコンピュータから選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定ステップと、
前記最終選定ステップで選定された補強金具を示すデータを前記ファブリケータコンピュータに送信する選定結果送信ステップと、
を有する構造コンピュータ用プログラム。
【請求項１２】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備するファブリケータコンピュータと、
前記ファブリケータコンピュータから選定要求を受信した場合に、構造計算データを選定コンピュータに送信する構造計算データ送信手段を具備する構造コンピュータと、
前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する選定コンピュータと、                       
を備えたことを特徴と補強設計支援システム。
【請求項１３】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備し、
前記選定要求を受信した場合に、構造計算データを選定コンピュータに送信する構造計算データ送信手段を具備する構造コンピュータと、
前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する選定コンピュータと、
ネットワークを介して接続可能なファブリケータコンピュータ。      
【請求項１４】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備するファブリケータコンピュータと、
構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
ネットワークを介して接続可能であり、
前記ファブリケータコンピュータから選定要求を受信した場合に、構造計算データを選定コンピュータに送信する構造計算データ送信手段を具備する構造コンピュータ。
【請求項１５】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備するファブリケータコンピュータと、
前記ファブリケータコンピュータから選定要求を受信した場合に、構造計算データを選定コンピュータに送信する構造計算データ送信手段を具備する構造コンピュータと、
ネットワークを介して接続可能であり、
前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する選定コンピュータ。
【請求項１６】
鉄骨梁の貫通孔に適用可能な補強金具の型式を仮選定する仮選定ステップと、
前記仮選定ステップによって補強金具の型式が仮選定された場合に、補強金具についての選定要求をネットワークに送信する選定要求送信ステップと、
前記仮選定ステップで仮選定された補強金具の型式の中から最終選定された補強金具を示すデータをネットワークから受信する選定結果受信ステップと、
を有し、
前記選定要求を受信した場合に、構造計算データを選定コンピュータに送信する構造計算データ送信手段を具備する構造コンピュータと、
前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを送信する選定結果送信手段と、
を具備する選定コンピュータと、
にネットワークを介して接続可能なファブリケータコンピュータで実行可能なファブリケータコンピュータ用プログラム。                                               
【請求項１７】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備するファブリケータコンピュータと、
構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、
前記最終選定手段で選定された補強金具を示すデータを前記ファブリケータコンピュータに送信する選定結果送信手段と、
を具備する選定コンピュータと、
ネットワークを介して接続可能な構造コンピュータで実行可能であり、
前記ファブリケータコンピュータから選定要求を受信した場合に、構造計算データを選定コンピュータに送信する構造計算データ送信ステップを有する構造コンピュータ用プログラム。
【請求項１８】
鉄骨梁の貫通孔に適用可能な補強金具の型式を仮選定する仮選定手段と、
前記仮選定手段によって補強金具の型式が仮選定された場合に、補強金具についての選定要求をネットワークに送信する選定要求送信手段と、
前記仮選定手段で仮選定された補強金具の型式の中から最終選定された補強金具を示すデータをネットワークから受信する選定結果受信手段と、
を具備するファブリケータコンピュータと、
前記ファブリケータコンピュータから選定要求を受信した場合に、構造計算データを選定コンピュータに送信する構造計算データ送信手段を具備する構造コンピュータと、
ネットワークを介して接続可能な選定コンピュータで実行可能であり、
前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、
前記最終選定ステップで選定された補強金具を示すデータを前記ファブリケータコンピュータに送信する選定結果送信ステップと、
を有する選定コンピュータ用プログラム。
【請求項１９】
請求項１、７、または１２に記載の補強設計支援システムにおいて、さらに、
前記ファブリケータコンピュータから第一承認データ要求を受信した場合に、補強金具を使用することについての第二承認データ要求をネットワークに送信する第二承認データ要求手段と、
前記第二承認データ要求手段に対する第二承認データ応答をネットワークから受信した場合に、前記ファブリケータコンピュータに第一承認データ応答を送信する第一承認データ応答手段と、
を具備する建設コンピュータを備え、
前記ファブリケータコンピュータは、前記最終選定手段で選定された補強金具を使用することについての第一承認データ要求をネットワークに送信する第一承認データ要求手段を具備し、
前記構造コンピュータは、前記建設コンピュータから前記第二承認データ要求を受信した場合に、前記最終選定された補強金具が所定の条件を満たしているか否かを判定し、満たしている場合には前記建設コンピュータに前記第二承認データ応答を送信する第二承認データ応答手段を具備する、
補強設計支援システム。
【請求項２０】
ファブリケータコンピュータから最終選定された補強金具を使用することについての第一承認データ要求を受信した場合に、補強金具を使用することについての第二承認データ要求を構造コンピュータに送信する第二承認データ要求手段と、
前記第二承認データ要求手段に対する第二承認データ応答を構造コンピュータから受信した場合に、前記ファブリケータコンピュータに第一承認データ応答を送信する第一承認データ応答手段と、
を具備する建設コンピュータ。
【請求項２１】
ファブリケータコンピュータから最終選定された補強金具を使用することについての第一承認データ要求を受信した場合に、補強金具を使用することについての第二承認データ要求を構造コンピュータに送信する第二承認データ要求ステップと、
前記第二承認データ要求ステップに対する第二承認データ応答を構造コンピュータから受信した場合に、前記ファブリケータコンピュータに第一承認データ応答を送信する第一承認データ応答ステップと、
を有する建設コンピュータ用プログラム。
【発明の詳細な説明】
【技術分野】
【０００１】
本発明は、  鉄骨梁の貫通孔に適用可能な補強金具の選定に関する。
【背景技術】
【０００２】
従来、次のような鉄骨梁貫通孔の補強設計支援装置が提供された（特許文献１参照）。特許文献１によると、この補強設計支援装置は、梁に作用する曲げモーメント、せん断力、および梁の曲げ耐力、せん断耐力を演算して補強の必要の有無および補強量を示すものであるとされる（特許文献１の段落００１５）。特許文献１によると、鉄骨梁の貫通孔の形成部周辺を補強する補強構造として、各種の構造を採用できるとされ、例えば梁に重ねて溶接する補強プレートや、補強管やリブ状のスチフナー等が適用できるとある（特許文献１の段落０００６、００１６）。
【特許文献１】特開２００５−１０５６７４号公報
【発明の開示】
【発明が解決しようとする課題】
【０００３】
しかしながら、建築物の施工においては、上記従来の補強設計支援装置などによって設計された補強を行うべく、いざ補強プレートなどの補強構造を貫通孔に適用しようとすると、貫通孔が設けられた位置などとの関係で、補強プレートなどの補強構造を鉄骨梁に適用できない場合が多い。したがって、この場合は、貫通孔の位置や大きさなどを変えて、上記従来の補強設計支援装置などを用いた設計を再度行わざるを得ず、この分だけ、貫通孔の位置や補強などを前提にした工事が遅延またはやり直しとなっていた。
そこで、本発明は、工事を不要に中断させることがない補強設計支援システム、ファブリケータコンピュータ、構造コンピュータ、選定コンピュータ、建設コンピュータ、補強設計支援プログラム、ファブリケータコンピュータ用プログラム、構造コンピュータ用プログラム、選定コンピュータ用プログラム、建設コンピュータ用プログラムを提供することを目的とする。
【課題を解決するための手段】
【０００４】
本発明によれば、上記課題は、次の手段により解決される。
【０００５】
第１の発明は、鉄骨梁の貫通孔に適用可能な補強金具の型式を仮選定する仮選定手段と、前記仮選定手段によって補強金具の型式が仮選定された場合に、構造計算データを要求する構造計算データ要求をネットワークに送信する構造計算データ要求手段と、前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、を具備するファブリケータコンピュータと、前記ファブリケータコンピュータから構造計算データ要求を受信した場合に、前記ファブリケータコンピュータに構造計算データを送信する構造計算データ送信手段を具備する構造コンピュータと、がネットワークで接続された補強設計支援システムである。
【０００６】
第２の発明は、鉄骨梁の貫通孔に適用可能な補強金具の型式を仮選定する仮選定手段と、前記仮選定手段によって補強金具の型式が仮選定された場合に、構造計算データを要求する構造計算データ要求をネットワークに送信する構造計算データ要求手段と、前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、を具備し、前記構造計算データ要求を受信した場合に、前記ファブリケータコンピュータに構造計算データを送信する構造計算データ送信手段を具備する構造コンピュータとネットワークを介して接続可能であるファブリケータコンピュータである。
【０００７】
第３の発明は、鉄骨梁の貫通孔に適用可能な補強金具の型式を仮選定する仮選定手段と、前記仮選定手段によって補強金具の型式が仮選定された場合に、構造計算データを要求する構造計算データ要求をネットワークに送信する構造計算データ要求手段と、前記構造計算データ要求手段によって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、を具備するファブリケータコンピュータにネットワークを介して接続可能であり、前記ファブリケータコンピュータから構造計算データ要求を受信した場合に、前記ファブリケータコンピュータに構造計算データを送信する構造計算データ送信手段を具備する構造コンピュータである。
【０００８】
第４の発明は、鉄骨梁の貫通孔に適用可能な補強金具の型式を仮選定する仮選定ステップと、前記仮選定ステップによって補強金具の型式が仮選定された場合に、構造計算データを要求する構造計算データ要求をネットワークに送信する構造計算データ要求ステップと、前記構造計算データ要求ステップによって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、を有し、前記構造計算データ要求を受信した場合に構造計算データを送信する構造計算データ送信手段を具備する構造コンピュータに、ネットワークを介して接続可能であるファブリケータコンピュータで実行し得るファブリケータコンピュータ用プログラムである。
【０００９】
第５の発明は、鉄骨梁の貫通孔に適用可能な補強金具の型式を仮選定する仮選定ステップと、前記仮選定ステップによって補強金具の型式が仮選定された場合に、構造計算データを要求する構造計算データ要求をネットワークに送信する構造計算データ要求ステップと、前記構造計算データ要求ステップによって送信された構造計算データ要求に対する構造計算データをネットワークから受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、を具備するファブリケータコンピュータにネットワークを介して接続可能な構造コンピュータで実行可能であり、前記ファブリケータコンピュータから構造計算データ要求を受信した場合に、前記ファブリケータコンピュータに構造計算データを送信する構造計算データ送信ステップを有する構造コンピュータ用プログラムである。
【００１０】
第６の発明は、鉄骨梁の貫通孔に適用可能な補強金具の型式を仮選定する仮選定ステップと、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、を有する補強設計支援プログラムである。
【００１１】
第７の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記選定要求送信手段から送信された選定要求に対して、前記仮選定手段で仮選定された補強金具の型式の中から最終選定された補強金具を示すデータをネットワークから受信する選定結果受信手段と、を具備するファブリケータコンピュータと、前記ファブリケータコンピュータから選定要求を受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する構造コンピュータと、を備えたことを特徴と補強設計支援システムである。
【００１２】
第８の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記選定要求送信手段から送信された選定要求に対して、前記仮選定手段で仮選定された補強金具の型式の中から最終選定された補強金具を示すデータをネットワークから受信する選定結果受信手段と、を具備し、前記選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、  前記最終選定手段で選定された補強金具を示すデータを送信する選定結果送信手段と、を具備する構造コンピュータにネットワークを介して接続可能なファブリケータコンピュータである。
【００１３】
第９の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記選定要求送信手段から送信された選定要求に対して、前記仮選定手段で仮選定された補強金具の型式の中から最終選定された補強金具を示すデータをネットワークから受信する選定結果受信手段と、を具備するファブリケータコンピュータにネットワークを介して接続可能であり、前記ファブリケータコンピュータから選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する構造コンピュータである。
【００１４】
第１０の発明は、鉄骨梁の貫通孔に適用可能な補強金具の型式を仮選定する仮選定ステップと、前記仮選定ステップによって補強金具の型式が仮選定された場合に、補強金具についての選定要求をネットワークに送信する選定要求送信ステップと、前記選定要求送信ステップから送信された選定要求に対して、前記仮選定ステップで仮選定された補強金具の型式の中から最終選定された補強金具を示すデータをネットワークから受信する選定結果受信ステップと、を有し、前記選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定手段と、前記最終選定手段で選定された補強金具を示すデータを送信する選定結果送信手段と、を具備する構造コンピュータに、ネットワークを介して接続可能なファブリケータコンピュータで実行されるファブリケータコンピュータ用プログラムである。
【００１５】
第１１の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記選定要求送信手段から送信された選定要求に対して、前記仮選定手段で仮選定された補強金具の型式の中から最終選定された補強金具を示すデータをネットワークから受信する選定結果受信手段と、を具備するファブリケータコンピュータにネットワークを介して接続可能な構造コンピュータで実行可能であり、前記ファブリケータコンピュータから選定要求を受信した場合に、前記仮選定された補強金具の型式に属する補強金具により補強された鉄骨梁の耐力を計算し、前記仮選定された補強金具の型式に属する補強金具の中から鉄骨梁を所定の耐力以上とする補強金具を選定する最終選定ステップと、前記最終選定ステップで選定された補強金具を示すデータを前記ファブリケータコンピュータに送信する選定結果送信ステップと、を有する構造コンピュータ用プログラムである。
【００１６】
第１２の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備するファブリケータコンピュータと、前記ファブリケータコンピュータから選定要求を受信した場合に、構造計算データを選定コンピュータに送信する構造計算データ送信手段を具備する構造コンピュータと、前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する選定コンピュータと、を備えたことを特徴と補強設計支援システムである。
【００１７】
第１３の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備し、前記選定要求を受信した場合に、構造計算データを選定コンピュータに送信する構造計算データ送信手段を具備する構造コンピュータと、前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する選定コンピュータと、ネットワークを介して接続可能なファブリケータコンピュータである。  
【００１８】
第１４の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備するファブリケータコンピュータと、構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、ネットワークを介して接続可能であり、前記ファブリケータコンピュータから選定要求を受信した場合に、構造計算データを選定コンピュータに送信する構造計算データ送信手段を具備する構造コンピュータである。
【００１９】
第１５の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備するファブリケータコンピュータと、前記ファブリケータコンピュータから選定要求を受信した場合に、構造計算データを選定コンピュータに送信する構造計算データ送信手段を具備する構造コンピュータと、ネットワークを介して接続可能であり、前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する選定コンピュータである。
【００２０】
第１６の発明は、鉄骨梁の貫通孔に適用可能な補強金具の型式を仮選定する仮選定ステップと、前記仮選定ステップによって補強金具の型式が仮選定された場合に、補強金具についての選定要求をネットワークに送信する選定要求送信ステップと、前記仮選定ステップで仮選定された補強金具の型式の中から最終選定された補強金具を示すデータをネットワークから受信する選定結果受信ステップと、を有し、前記選定要求を受信した場合に、構造計算データを選定コンピュータに送信する構造計算データ送信手段を具備する構造コンピュータと、前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを送信する選定結果送信手段と、を具備する選定コンピュータと、にネットワークを介して接続可能なファブリケータコンピュータで実行可能なファブリケータコンピュータ用プログラムである。          
【００２１】
第１７の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備するファブリケータコンピュータと、構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定手段と、前記最終選定手段で選定された補強金具を示すデータを前記ファブリケータコンピュータに送信する選定結果送信手段と、を具備する選定コンピュータと、ネットワークを介して接続可能な構造コンピュータで実行可能であり、前記ファブリケータコンピュータから選定要求を受信した場合に、構造計算データを選定コンピュータに送信する構造計算データ送信ステップを有する構造コンピュータ用プログラムである。
【００２２】
第１８の発明は、鉄骨梁の貫通孔に適用可能な補強金具の型式を仮選定する仮選定手段と、前記仮選定手段によって補強金具の型式が仮選定された場合に、補強金具についての選定要求をネットワークに送信する選定要求送信手段と、前記仮選定手段で仮選定された補強金具の型式の中から最終選定された補強金具を示すデータをネットワークから受信する選定結果受信手段と、を具備するファブリケータコンピュータと、前記ファブリケータコンピュータから選定要求を受信した場合に、構造計算データを選定コンピュータに送信する構造計算データ送信手段を具備する構造コンピュータと、ネットワークを介して接続可能な選定コンピュータで実行可能であり、前記構造コンピュータから構造計算データを受信した場合に、前記仮選定された補強金具の型式に属する補強金具により補強された鉄骨梁の耐力を構造計算データを用いて計算し、前記仮選定された補強金具の型式に属する補強金具の中から鉄骨梁を所定の耐力以上とする補強金具を選定する最終選定ステップと、前記最終選定ステップで選定された補強金具を示すデータを前記ファブリケータコンピュータに送信する選定結果送信ステップと、を有する選定コンピュータ用プログラムである。
【００２３】
第１９の発明は、第１、第７、または第１２の発明に係る補強設計支援システムにおいて、さらに、前記ファブリケータコンピュータから第一承認データ要求を受信した場合に、補強金具を使用することについての第二承認データ要求をネットワークに送信する第二承認データ要求手段と、前記第二承認データ要求手段に対する第二承認データ応答をネットワークから受信した場合に、前記ファブリケータコンピュータに第一承認データ応答を送信する第一承認データ応答手段と、を具備する建設コンピュータを備え、前記ファブリケータコンピュータは、前記最終選定手段で選定された補強金具を使用することについての第一承認データ要求をネットワークに送信する第一承認データ要求手段を具備し、前記構造コンピュータは、前記建設コンピュータから前記第二承認データ要求を受信した場合に、前記最終選定された補強金具が所定の条件を満たしているか否かを判定し、満たしている場合には前記建設コンピュータに前記第二承認データ応答を送信する第二承認データ応答手段を具備する、補強設計支援システムである。
【００２４】
第２０の発明は、ファブリケータコンピュータから最終選定された補強金具を使用することについての第一承認データ要求を受信した場合に、補強金具を使用することについての第二承認データ要求を構造コンピュータに送信する第二承認データ要求手段と、前記第二承認データ要求手段に対する第二承認データ応答を構造コンピュータから受信した場合に、前記ファブリケータコンピュータに第一承認データ応答を送信する第一承認データ応答手段と、を具備する建設コンピュータである。
【００２５】
第２１の発明は、ファブリケータコンピュータから最終選定された補強金具を使用することについての第一承認データ要求を受信した場合に、補強金具を使用することについての第二承認データ要求を構造コンピュータに送信する第二承認データ要求ステップと、前記第二承認データ要求ステップに対する第二承認データ応答を構造コンピュータから受信した場合に、前記ファブリケータコンピュータに第一承認データ応答を送信する第一承認データ応答ステップと、  を有する建設コンピュータ用プログラムである。
【発明の効果】
【００２６】
本発明によれば、工事を不要に中断させることがない補強設計支援システム、ファブリケータコンピュータ、構造コンピュータ、選定コンピュータ、建設コンピュータ、補強設計支援プログラム、ファブリケータコンピュータ用プログラム、構造コンピュータ用プログラム、選定コンピュータ用プログラム、建設コンピュータ用プログラムを提供することができる。
【発明を実施するための最良の形態】
【００２７】
以下に、添付した図面を参照しつつ、本発明を実施するための最良の形態を詳細に説明する。
【００２８】
図１は、本発明の実施の形態に係る補強設計支援システムが支援する補強設計の対象を示す図である。
図１に示すように、鉄骨梁５００には貫通孔が設けられており、この貫通孔にリング状の補強金具６００が嵌合し、溶接される。これにより、鉄骨梁５００の貫通孔は補強される。本発明の実施の形態に係る補強設計支援システムは、ある型式の補強金具で鉄骨梁の貫通孔の補強を行う場合に、必要とされる貫通孔の孔径に対して、適用可能な型式の補強金具を仮選定し、貫通孔の孔径や取り付け位置などの適応条件を満たすか否かを判定する。この仮選定に際しては、鉄骨梁中のどの位置にどれだけの大きさの貫通孔を設ければよいのかを設計することも可能である。次いで、本発明の実施の形態に係る補強設計支援システムは、そのようにして設計された貫通孔に適用され、鉄骨梁を所定の耐力以上に補強する補強金具を選定する。
【００２９】
図２は、本発明の実施の形態に係る補強設計支援システム（その１）を示す図である。
図２に示すように、実施の形態に係る補強設計支援システム（その１）は、ファブリケータコンピュータ１００と、構造コンピュータ２００と、建設コンピュータ３００と、がネットワーク１０００を介して接続されたコンピュータシステムである。ファブリケータコンピュータ１００、構造コンピュータ２００、および建設コンピュータ３００は、ＣＰＵやメモリなどによって構成され、ＣＰＵがプログラムを実行することによって、次のように動作する。
【００３０】
図３は、本発明の実施の形態に係る補強設計支援システム（その１）の動作を示すシーケンス図である。
図３に示すように、まず、ファブリケータコンピュータ１００に初期データが入力される（Ｓ１０１）。ここで、初期データとは、広く鉄骨梁５００や貫通孔などに関するデータをいい、特に限定されるものではないが、たとえば、貫通孔の孔径や、梁の材質や、梁サイズや、梁端から孔中心までの距離や、偏心量などのデータをいう。
次ぎに、ファブリケータコンピュータ１００が、仮選定を行う（Ｓ１０２）。ここで、仮選定とは、ある型式の補強金具で補強を行う場合に、必要とされる貫通孔の孔径に対して、梁サイズなどにより、適用可能な型式の補強金具を選定し、貫通孔の孔径や取り付け位置などの適用条件を満たすか否かを判定することをいう。このステップＳ１０２によれば、必要とされる貫通孔の孔径や取り付け位置などの適用条件をあらかじめ検討することができるため、補強金具が貫通孔に適用できないということがない。したがって、このステップＳ１０２によれば、補強設計の終了後に補強金具が貫通孔に適用できないことが判明し、再度補強設計をやり直すということがなくなるため、また、貫通孔の補強工事が遅延またはやり直しとなることを防ぐことができるため、建設工事全体の工程が遅延することを防ぐことができる。なお、後述するように、本実施の形態によれば、貫通孔の孔径を柔軟に設計できるようになるが、貫通孔の孔径が大きくなると、貫通孔に適用する補強金具も大きくなるため、補強金具が他の貫通孔に適用予定の補強金具と干渉したり鉄骨梁からはみ出したりなどすることが多くなる。このため、鉄骨梁が適用条件を満たさず、補強金具を鉄骨梁に適用できない場合が多くなる可能性があるが、本実施の形態によれば、上記仮選定によって、適用の可否を早期に判定することができる。
次ぎに、補強金具の型式が仮選定された場合、ファブリケータコンピュータ１００が、構造コンピュータ３００に対して、構造計算データ要求を送信する（Ｓ１０３）。ここで、構造計算データとは、建築物の構造体を設計する計算データのうち、貫通孔が設けられた鉄骨梁の耐力を計算するために必要となるデータである。
次ぎに、構造コンピュータ３００が、ファブリケータコンピュータ１００から構造計算データ要求を受信した場合に、ファブリケータコンピュータ１００に構造計算データを送信する（Ｓ１０４）。鉄骨梁の端部には、地震などによる大きな荷重を受けた場合にエネルギーを吸収する塑性化領域が存在するが、従来は、この部分に貫通孔を設けることについての安全性を建築物の施工時に判断することができず、塑性化領域には貫通孔が設けられていなかった。また、従来は、建築物の施工時に鉄骨梁の耐力を詳細に検討することが困難であったため、貫通孔の孔径を自由に設計することができなかった。しかしながら、本実施の形態によれば、上記のようにして構造計算データを利用することが可能となるため、建築物の施工時における鉄骨梁の耐力の詳細な検討が可能となり、鉄骨梁の塑性化領域にも貫通孔を設けることができるようになるとともに、貫通孔の孔径の設計を柔軟に行うことができるようになる。なお、本実施の形態においては、ファブリケータコンピュータ１００が、構造計算データについて、これを保持していなくても、構造コンピュータ３００からネットワーク１０００を介して取得することができる。
次ぎに、ファブリケータコンピュータ１００が、構造計算データをネットワーク１０００から受信した場合に、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する（Ｓ１０５）。本発明では、仮選定された補強金具の型式に属する補強金具の中から鉄骨梁を所定の耐力以上とする補強金具を選定することを、最終選定という。この最終選定された補強金具は、鉄骨梁の貫通孔に適用可能であり、かつ、鉄骨梁を所定の耐力以上に補強可能なものである。
次ぎに、ファブリケータコンピュータ１００が、建設コンピュータ２００に対して、選定された補強金具を使用することについての第一承認データ要求をする（Ｓ１０６）。ここで、第一承認データ要求とは、ファブリケータコンピュータ１００の建設コンピュータ２００に対する、選定された補強金具を使用することについての承認要求である。
次ぎに、建設コンピュータ２００が、補強金具を使用することについての第二承認データ要求を構造コンピュータに要求する（Ｓ１０７）。ここで、第二承認データ要求とは、建設コンピュータ２００の構造コンピュータ３００に対する、選定された補強金具を使用することについての承認要求である。
次ぎに、構造コンピュータ３００が、選定された補強金具が所定の条件を満たしているか否かを判定し、満たしている場合には建設コンピュータ２００に第二承認データ応答を送信する（Ｓ１０８）。ここで、第二承認データ応答とは、構造コンピュータ３００の建設コンピュータ２００に対する、選定された補強金具を使用することについての承認応答である。
次ぎに、建設コンピュータ２００が、ファブリケータコンピュータ１００に第一承認データ応答を送信する。ここで、第一承認データ応答とは、建設コンピュータ２００のファブリケータコンピュータ１００に対する、選定された補強金具を使用することについての承認応答である。
このように、ファブリケータコンピュータ１００が構造コンピュータ３００ではなく建設コンピュータ２００から承認を受け、建設コンピュータが構造コンピュータから承認を受けることとしたのは、建設工事における承認関係に基づいて、補強金具を使用した貫通孔補強に関する、建設会社、ファブリケータ、設計者、それぞれの責任を明確にするためで、承認の電子データ記録を、システムまたはコンピュータ上にログとして明確に記録しておくためである。
【００３１】
図４は、ファブリケータコンピュータ１００の機能を示すブロック図である。
図４に示すように、ファブリケータコンピュータ１００は、入力部１０１と、仕様記憶部１０２と、仮選定部１０３と、構造計算データ要求部１０４と、送信部１０５と、受信部１０６と、証明書記憶部１０７と、梁貫通孔データ記憶部１０８と、最終選定部１０９と、出力部１１０と、承認データ要求部１１１と、を具備している。
入力部１０１に入力された初期データは、仮選定部１０３に出力される。この仮選定部１０３では、仕様記憶部１０２に記憶されている補強金具の仕様データと初期データとを用いて、鉄骨梁の貫通孔に適用可能な補強金具の型式を仮選定する。仮選定部１０３で補強金具の型式が選定されると、初期データ及び仮選定の結果を示すデータが構造計算データ要求部１０４に出力される。このデータが入力されると、構造計算データ要求部１０４は、送信部１０５を介して、ネットワークに構造計算データを要求する構造計算データ要求を送信する。ここで、構造計算データ要求には、初期データ及び仮選定の結果を示すデータが含ませることが可能である。なお、仮選定部１０３には、ファブリケータがいなかる初期データに基づいていかなる仮選定をおこなったかを明らかにできるよう、初期データ及び仮選定の結果を示すデータが保存される。
構造コンピュータ３００から受信部１０６を介して受信された構造計算データは、最終選定部１０９に送られる。最終選定部１０９では、梁貫通孔データ記憶部１０８に入力された初期データと構造計算データとを用いて、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する。選定された補強金具は、出力部１１０に送られて表示されるとともに、承認データ要求１１１に送られる。承認データ要求部１１１は、送信部１０５を介して建設コンピュータ２００に第一承認データ要求を送信する。なお、第一承認データ要求には、最終選定の結果を示すデータが含まれる。
建設コンピュータ２００からの第一承認データ要求は、受信部１０６を介して証明書記憶部１０７に記憶される。したがって、本実施の形態においては、建設コンピュータ２００による承認の有無が電子データとして保存されるため、補強金具の使用に伴う責任が明確にされる。
上記のようなファブリケータコンピュータ１００の機能は、たとえば、次ぎに示すプログラムをファブリケータコンピュータ１００上で実行することにより実現できる。すなわち、鉄骨梁の貫通孔に適用可能な補強金具の型式を仮選定する仮選定ステップと、仮選定ステップによって補強金具の型式が仮選定された場合に、構造計算データを要求する構造計算データ要求をネットワークに送信する構造計算データ要求ステップと、構造計算データ要求ステップによって送信された構造計算データ要求に対する構造計算データをネットワークから受信した場合に、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する最終選定ステップと、を有するファブリケータコンピュータ用のプログラムである。また、最終選定手段で選定された補強金具を使用することについての第一承認データ要求をネットワークに送信する第一承認データ要求ステップと、第一承認データ要求に対する第一承認データ応答を受信するステップと、を有するファブリケータコンピュータ用プログラムである。
または、鉄骨梁の貫通孔に適用可能な補強金具の型式を仮選定する仮選定ステップと、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する最終選定ステップと、を有する補強設計支援プログラムである。
【００３２】
図５は、建設コンピュータ２００の機能をブロック図である。
図５に示すように、建設コンピュータ２００は、ファブリケータコンピュータ１００から受信部２０１を介して受信した第一承認データ要求を承認データ要求部２０２に出力する。ここで、第一承認データ要求には、最終選定の結果を示すデータが含まれている。承認データ要求部２０２は、送信部２０３を介して構造コンピュータ３００に第二承認データ要求データを送信する。ここで、第二承認データ要求には、最終選定の結果を示すデータが含まれている。構造コンピュータ３００から受信部２０１を介して受信した第二承認データ応答データは、承認データ応答部２０４に出力され、証明書記憶部２０５に記憶される。これにより、構造設計者による構造設計についての責任を示す電子データが記憶されることとなる。また、第二承認データ応答データを出力された承認データ応答部２０４は、送信部２０３を介してファブリケータコンピュータ１００に第一承認データ応答を送信する。
このような建設コンピュータ２００の機能は、たとえば、次のようなプログラムを建設コンピュータ２００上で実行することにより実現できる。すなわち、ファブリケータコンピュータから最終選定された補強金具を使用することについての第一承認データ要求を受信した場合に、補強金具を使用することについての第二承認データ要求を構造コンピュータに送信する第二承認データ要求ステップと、第二承認データ要求ステップに対する第二承認データ応答を構造コンピュータから受信した場合に、ファブリケータコンピュータに第一承認データ応答を送信する第一承認データ応答ステップと、を有する建設コンピュータ用プログラムである。
【００３３】
なお、構造コンピュータ３００の機能を示すブロック図は特に図示していないが、構造コンピュータ３００は、ファブリケータコンピュータ１００から構造計算データ要求を受信した場合に、ファブリケータコンピュータ１００に構造計算データを送信する構造計算データ送信部を具備している。なお、構造コンピュータ３００は、構造計算データに加えて、建築物の構造体を設計する計算データを送信することも可能であるが、ネットワークトラフィックの無用の増大の防止及び設計図が不特定者に配布されてしまうことによるセキュリティの問題の観点からは、建築物の構造体を設計する計算データは送信しない方が望ましい。
なお、このような構造コンピュータ３００の機能は、たとえば、次ぎに示すプログラムを構造コンピュータ３００で実行することにより実現できる。すなわち、ファブリケータコンピュータから構造計算データ要求を受信した場合に、ファブリケータコンピュータに構造計算データを送信する構造計算データ送信ステップを有する構造コンピュータ用プログラムである。また、建設コンピュータから第二承認データ要求を受信した場合に、最終選定された補強金具が所定の条件を満たしているか否かを判定し、満たしている場合には建設コンピュータに前記第二承認データ応答を送信する第二承認データ応答ステップを有する構造コンピュータ用プログラムである。
【００３４】
図６は、本発明の実施の形態に係る補強設計支援システム（その２）の動作を示すシーケンス図である。
図６に示すように、まず、ファブリケータコンピュータ１００に初期データが入力される（Ｓ２０１）。ここで、初期データとは、広く鉄骨梁５００や貫通孔などに関するデータをいい、特に限定されるものではないが、たとえば、貫通孔の孔径や、梁の材質や、梁サイズや、梁端から孔中心までの距離や、偏心量などのデータをいう。
次ぎに、ファブリケータコンピュータ１００が、仮選定を行う（Ｓ２０２）。ここで、仮選定とは、ある型式の補強金具で補強を行う場合に、必要とされる貫通孔の孔径に対して、梁サイズなどにより、適用可能な型式の補強金具を選定し、貫通孔の孔径や取り付け位置などの適用条件を満たすか否かを判定することをいう。このステップＳ２０２によれば、必要とされる貫通孔の孔径や取り付け位置などの適用条件をあらかじめ検討することができるため、補強金具が貫通孔に適用できないということがない。したがって、このステップＳ２０２によれば、必要とされる貫通孔の孔径や取り付け位置などの適用条件をあらかじめ検討することができるため、補強金具が貫通孔に適用できないということがない。したがって、このステップＳ２０２によれば、補強設計の終了後に補強金具が貫通孔に適用できないことが判明し、再度補強設計をやり直すということがなくなるため、また、貫通孔の補強工事が遅延またはやり直しとなることを防ぐことができるため、建設工事全体の工程が遅延することを防ぐことができる。なお、後述するように、本実施の形態によれば、貫通孔の孔径を柔軟に設計できるようになるが、貫通孔の孔径が大きくなると、貫通孔に適用する補強金具も大きくなるため、補強金具が他の貫通孔に適用予定の補強金具と干渉したり鉄骨梁からはみ出したりなどすることが多くなる。このため、鉄骨梁が適用条件を満たさず、補強金具を鉄骨梁に適用できない場合が多くなる可能性があるが、本実施の形態によれば、上記仮選定によって、適用の可否を早期に判定することができる。
次ぎに、補強金具の型式が仮選定された場合、ファブリケータコンピュータ１００が、構造コンピュータ３００に対して、最終選定要求を送信する（Ｓ２０３）。ここで、最終選定要求には、初期データ及び仮選定の結果を示すデータが含まれる。
次ぎに、構造コンピュータ３００が、最終選定要求をネットワーク１０００から受信した場合に、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する（Ｓ２０４）。本発明では、仮選定された補強金具の型式に属する補強金具の中から鉄骨梁を所定の耐力以上とする補強金具を選定することを、最終選定という。この最終選定された補強金具は、鉄骨梁の貫通孔に適用可能であり、かつ、鉄骨梁を所定の耐力以上に補強可能なものである。
次ぎに、構造コンピュータ３００が、ファブリケータコンピュータ１００に最終選定応答を送信する（Ｓ２０５）。ここで、最終選定応答には、最終選定の結果を示すデータが含まれる。
鉄骨梁の端部には、地震などによる大きな荷重を受けた場合にエネルギーを吸収する塑性化領域が存在するが、従来は、この部分に貫通孔を設けることについての安全性を建築物の施工時に判断することができず、塑性化領域には貫通孔が設けられていなかった。また、従来は、建築物の施工時に鉄骨梁の耐力を詳細に検討することが困難であったため、貫通孔の孔径を自由に設計することができなかった。しかしながら、本実施の形態によれば、上記のようにして構造計算データを利用することが可能となるため、建築物の施工時における鉄骨梁の耐力の詳細な検討が可能となり、鉄骨梁の塑性化領域にも貫通孔を設けることができるようになるとともに、貫通孔の孔径の設計を柔軟に行うことができるようになる。なお、本実施の形態においては、ファブリケータコンピュータ１００が、構造計算データについて、これを保持していなくても、仮選定された補強金具の型式に属する補強金具の中から鉄骨梁を所定の耐力以上とする補強金具を知ることができる。
以下、本発明の実施の形態に係る補強設計支援システム（その１）と同様の承認プロセスが実行される。
【００３５】
図７は、ファブリケータコンピュータ１００の機能（その２）を示すブロック図である。
図７に示すように、ファブリケータコンピュータ１００は、入力部１２０と、仕様記憶部１２１と、仮選定部１２２と、最終選定要求部１２３と、送信部１２４と、受信部１２５と、証明書記憶部１２６と、出力部１２７と、承認データ要求部１２８と、を具備している。
入力部１２０に入力された初期データは、仮選定部１２２に出力される。この仮選定部１２２では、仕様記憶部１２１に記憶されている補強金具の仕様データと初期データとを用いて、鉄骨梁の貫通孔に適用可能な補強金具の型式を仮選定する。仮選定部１２２で補強金具の型式が選定されると、初期データ及び仮選定の結果を示すデータが最終選定要求部１２３に出力され、この最終選定要求部１２３から送信部１２４を介して最終選定要求が構造コンピュータ３００に送信される。ここで、最終選定要求には、初期データ及び仮選定の結果を示すデータが含まれる。なお、仮選定部１２２には、ファブリケータがいなかる初期データに基づいていかなる仮選定をおこなったかを明らかにできるよう、初期データ及び仮選定の結果を示すデータが保存される。
受信部１２５を介して受信された、仮選定された補強金具の型式に属する補強金具の中から鉄骨梁を所定の耐力以上とする補強金具を示すデータは、証明書データ記憶部１２６に記憶され、出力部１２７から出力されるとともに、承認データ要求部１２８に出力される。仮選定された補強金具の型式に属する補強金具の中から鉄骨梁を所定の耐力以上とする補強金具を示すデータは、証明書データ記憶部１２６に記憶されるため、構造コンピュータ３００によって、いかなる補強金具の選定がなされたかが電子データとして記憶され、補強金具の選定についての責任追及に役立てられる。承認データ要求部１２８は、送信部１２４を介して建設コンピュータ２００に第一承認データ要求を送信する。ここで、第一承認データ要求には、仮選定された補強金具の型式に属する補強金具の中から鉄骨梁を所定の耐力以上とする補強金具を示すデータが含まれる。
建設コンピュータ２００から受信部１２５を介して受信した第一承認データ応答は、証明書記憶部１２６に記憶される。したがって、本実施の形態においては、建設コンピュータ２００による承認の有無が電子データとして保存されるため、補強金具の使用に伴う責任が明確にされる。
上記のようなファブリケータコンピュータ１００の機能（その２）は、たとえば、次ぎに示すプログラムをファブリケータコンピュータ１００上で実行することにより実現できる。すなわち、鉄骨梁の貫通孔に適用可能な補強金具の型式を仮選定する仮選定ステップと、仮選定ステップによって補強金具の型式が仮選定された場合に、補強金具についての選定要求をネットワークに送信する選定要求送信ステップと、選定要求送信ステップから送信された選定要求に対して、仮選定ステップで仮選定された補強金具の型式の中から最終選定された補強金具を示すデータをネットワークから受信する選定結果受信ステップと、  を有するファブリケータコンピュータ用プログラムである。また、最終選定手段で選定された補強金具を使用することについての第一承認データ要求をネットワークに送信する第一承認データ要求ステップと、第一承認データ要求に対する第一承認データ応答を受信するステップと、を有するファブリケータコンピュータ用プログラムである。
【００３６】
建設コンピュータ２００の機能（その２）は、建設コンピュータ２００の機能（その１）の場合と同様であるので、説明を省略する。
【００３７】
図８は、構造コンピュータ３００の機能（その２）を示すブロック図である。
図８に示すように、構造コンピュータ３００は、ファブリケータコンピュータ１００から受信部３０１を介して受信した選定要求を最終選定部３０３に出力する。最終選定部３０３では、選定要求に含まれる初期データ及仮選定データと構造データ記憶部３０２に記憶されている構造計算データとを用いて、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する。選定された補強金具は、送信部３０４から送信される。
建設コンピュータ２００から受信部３０１を介して受信された第二承認データ要求は、承認応答部３０５に出力され、証明書記憶部３０６に記憶される。また、承認応答部３０５は、送信部３０４を介して第二承認データ応答を建設コンピュータ２００に送信する。
なお、このような構造コンピュータ３００の機能は、たとえば、次ぎに示すプログラムを構造コンピュータ３００で実行することにより実現できる。すなわち、ファブリケータコンピュータから選定要求を受信した場合に、仮選定された補強金具の型式に属する補強金具により補強された鉄骨梁の耐力を計算し、仮選定された補強金具の型式に属する補強金具の中から鉄骨梁を所定の耐力以上とする補強金具を選定する最終選定ステップと、最終選定ステップで選定された補強金具を示すデータをファブリケータコンピュータに送信する選定結果送信ステップと、を有する構造コンピュータ用プログラムである。また、建設コンピュータから第二承認データ要求を受信した場合に、最終選定された補強金具が所定の条件を満たしているか否かを判定し、満たしている場合には建設コンピュータに前記第二承認データ応答を送信する第二承認データ応答ステップを有する構造コンピュータ用プログラムである。
【００３８】
図９は、本発明の実施の形態に係る補強設計支援システム（その３）を示す図である。
図９に示すように、本発明の実施の形態に係る補強設計支援システム（その３）は、上述した補強設計支援システム（その１）、（その２）と異なり、選定コンピュータを備えている。
【００３９】
図１０は、本発明の実施の形態に係る補強設計支援システム（その３）の動作を示すシーケンス図である。
図１０に示すように、まず、ファブリケータコンピュータ１００に初期データが入力される（Ｓ３０１）。ここで、初期データとは、広く鉄骨梁５００や貫通孔などに関するデータをいい、特に限定されるものではないが、たとえば、貫通孔の孔径や、梁の材質や、梁サイズや、梁端から孔中心までの距離や、偏心量などのデータをいう。
次ぎに、ファブリケータコンピュータ１００が、仮選定を行う（Ｓ３０２）。
ここで、仮選定とは、ある型式の補強金具で補強を行う場合に、必要とされる貫通孔の孔径に対して、梁サイズなどにより、適用可能な型式の補強金具を選定し、貫通孔の孔径や取り付け位置などの適用条件を満たすか否かを判定することをいう。このステップＳ３０２によれば、必要とされる貫通孔の孔径や取り付け位置などの適用条件をあらかじめ検討することができるため、補強金具が貫通孔に適用できないということがない。したがって、このステップＳ３０２によれば、補強設計の終了後に補強金具が貫通孔に適用できないことが判明し、再度補強設計をやり直すということがなくなるため、また、貫通孔の補強工事が遅延またはやり直しとなることを防ぐことができるため、建設工事全体の工程が遅延することを防ぐことができる。なお、後述するように、本実施の形態によれば、貫通孔の孔径を柔軟に設計できるようになるが、貫通孔の孔径が大きくなると、貫通孔に適用する補強金具も大きくなるため、補強金具が他の貫通孔に適用予定の補強金具と干渉したり鉄骨梁からはみ出したりなどすることが多くなる。このため、鉄骨梁が適用条件を満たさず、補強金具を鉄骨梁に適用できない場合が多くなる可能性があるが、本実施の形態によれば、上記仮選定によって、適用の可否を早期に判定することができる。
次ぎに、補強金具の型式が仮選定された場合、ファブリケータコンピュータ１００が、構造コンピュータ３００に対して構造計算データ要求を送信する（Ｓ３０３）とともに、選定コンピュータ４００に対して初期データを送信する（Ｓ３０４）。
次ぎに、構造コンピュータ３００が、構造計算データを選定コンピュータ４００に送信する（Ｓ３０５）。
次ぎに、選定コンピュータ４００が、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する（Ｓ３０６）。本発明では、仮選定された補強金具の型式に属する補強金具の中から鉄骨梁を所定の耐力以上とする補強金具を選定することを、最終選定という。この最終選定された補強金具は、鉄骨梁の貫通孔に適用可能であり、かつ、鉄骨梁を所定の耐力以上に補強可能なものである。
次ぎに、選定コンピュータ４００が、ファブリケータコンピュータ１００に最終選定応答を送信する（Ｓ１０４）。ここで、最終選定応答には、最終選定の結果を示すデータが含まれる。
鉄骨梁の端部には、地震などによる大きな荷重を受けた場合にエネルギーを吸収する塑性化領域が存在するが、従来は、この部分に貫通孔を設けることについての安全性を建築物の施工時に判断することができず、塑性化領域には貫通孔が設けられていなかった。また、従来は、建築物の施工時に鉄骨梁の耐力を詳細に検討することが困難であったため、貫通孔の孔径を自由に設計することができなかった。しかしながら、本実施の形態によれば、上記のようにして構造計算データを利用することが可能となるため、建築物の施工時における鉄骨梁の耐力の詳細な検討が可能となり、鉄骨梁の塑性化領域にも貫通孔を設けることができるようになるとともに、貫通孔の孔径の設計を柔軟に行うことができるようになる。なお、本実施の形態においては、ファブリケータコンピュータ１００が、構造計算データについて、これを保持していなくても、仮選定された補強金具の型式に属する補強金具の中から鉄骨梁を所定の耐力以上とする補強金具を知ることができる。また、構造コンピュータ２００は、仮選定された補強金具の型式に属する補強金具の中から鉄骨梁を所定の耐力以上とする補強金具を選定する必要もない。
以下、本発明の実施の形態に係る補強設計支援システム（その１）、（その２）と同様の承認プロセスが実行される。
【００４０】
図示しないが、本発明の実施の形態に係る補強設計支援システム（その３）が備えるファブリケータコンピュータ１００は、最終選定要求を構造コンピュータ３００に送信し、初期データを選定コンピュータ４００に送信し、選定コンピュータ４００から最終選定応答を受信する点で、補強設計支援システム（その２）と異なる。なお、このようなファブリケータコンピュータ１００の機能は、たとえば、次ぎに示すプログラムをファブリケータコンピュータ１００で実行することにより実現できる。すなわち、鉄骨梁の貫通孔に適用可能な補強金具の型式を仮選定する仮選定ステップと、仮選定ステップによって補強金具の型式が仮選定された場合に、補強金具についての選定要求をネットワークに送信する選定要求送信ステップと、仮選定ステップで仮選定された補強金具の型式の中から最終選定された補強金具を示すデータをネットワークから受信する選定結果受信ステップと、を有するファブリケータコンピュータ用プログラムである。また、最終選定手段で選定された補強金具を使用することについての第一承認データ要求をネットワークに送信する第一承認データ要求ステップと、第一承認データ要求に対する第一承認データ応答を受信するステップと、を有するファブリケータコンピュータ用プログラムである。
【００４１】
また、本発明の実施の形態に係る補強設計支援システム（その３）が備える建設コンピュータ２００は、補強設計支援システム（その１）や（その２）と同様の機能を有するので、説明を省略する。
【００４２】
また、図示しないが、本発明の実施の形態に係る補強設計支援システム（その３）が備える構造コンピュータ３００は、構造計算データを選定コンピュータ４００に送信する点で、ファブリケータコンピュータ１００に送信する補強設計支援システム（その１）と相違する。なお、このような構造コンピュータ３００の機能は、たとえば、次ぎに示すプログラムを構造コンピュータ３００で実行することにより実現できる。すなわち、ファブリケータコンピュータから選定要求を受信した場合に、構造計算データを選定コンピュータに送信する構造計算データ送信ステップを有する構造コンピュータ用プログラムである。また、建設コンピュータから第二承認データ要求を受信した場合に、最終選定された補強金具が所定の条件を満たしているか否かを判定し、満たしている場合には建設コンピュータに前記第二承認データ応答を送信する第二承認データ応答ステップを有する構造コンピュータ用プログラムである。
【００４３】
図１１は、選定コンピュータ４００の機能を示すブロック図である。
図１１に示すように、選定コンピュータ４００は、受信部４０１と、最終選定部４０２と、証明書記憶部４０３と、送信部４０４と、を具備している。
選定コンピュータ４００は、構造コンピュータ３００から受信部４０１を介して受信された構造計算データは、最終選定部４０２に出力され、証明書記憶部４０３で記憶される。最終選定部４０２は、仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する。最終選定部４０２で選定された補強金具を示すデータは、送信部４０４を介して、ファブリケータコンピュータ１００に送信される。なお、このような選定コンピュータ４００の機能は、たとえば、次ぎに示すプログラムを選定コンピュータ４００で実行することにより実現できる。すなわち、構造コンピュータから構造計算データを受信した場合に、前記仮選定された補強金具の型式に属する補強金具により補強された鉄骨梁の耐力を構造計算データを用いて計算し、仮選定された補強金具の型式に属する補強金具の中から鉄骨梁を所定の耐力以上とする補強金具を選定する最終選定ステップと、最終選定ステップで選定された補強金具を示すデータをファブリケータコンピュータに送信する選定結果送信ステップと、を有する選定コンピュータ用プログラムである。
【００４４】
図１２は、仮選定の処理を実行可能なプログラムの一例を示すフローチャートである。ここで、仮選定の処理とは、ある型式の補強金具で補強を行う場合に、ある型式の補強金具で補強を行う場合に、必要とされる貫通孔の孔径に対して、梁サイズなどにより、適用可能な型式の補強金具を選定し、貫通孔の孔径や取り付け位置などの適用条件を満たすか否かを判定する処理をいう。
図１２に示すように、仮選定の処理において、ＣＰＵは、初期データが入力されるまで待機する（Ｓ４０１）
初期データが入力されると、ＣＰＵは、初期データによって示される鉄骨梁及び貫通孔に、補強金具を適用可能か否かを判断する（Ｓ４０２）。この判断は、たとえば、ＣＰＵが、初期データによって示される鉄骨梁及び貫通孔が、メモリに記憶される一般的な適用条件（たとえば図１３参照）を満たすか否かを判断した後、鉄骨梁及び貫通孔に適用可能な補強金具の型式を、補強金具の具体的なデータ（図１４参照）から抽出することなどによって行うことができる。
つぎに、ＣＰＵは、適用可能であれば、その型式を仮に選定する仮選定を行い（Ｓ４０３）、適用不可能であれば、その内容（ワーニング）を表示して、初期データが修正されて再度入力されるまで待機する（Ｓ４０２、Ｓ４０１）。
【００４５】
図１５は、最終選定の処理を実行可能なプログラムの一例を示すフローチャートである。ここで、最終選定の処理とは、仮選定された補強金具の型式に属する補強金具の中から鉄骨梁を所定の耐力以上とする補強金具を選定する処理をいう。
図１５に示すように、最終選定の処理において、ＣＰＵは、仮選定された補強金具の型式から、この型式に属する補強金具を一つ選択する（Ｓ５０１）。
次ぎに、ＣＰＵは、仮選定された補強金具の型式に属する補強金具により補強された鉄骨梁の耐力を構造計算データを用いて計算し、仮選定された補強金具の型式に属する補強金具の中から鉄骨梁を所定の耐力以上か否かを判定する（Ｓ５０２）。ここで、所定の耐力以上であるか否かは、たとえば次式に基づいて判断することができる。
【数１】
2007164322.tif 000003
ここで、
Ｍｄｌ    ：有孔部長期曲げモーメント
Ｍａｌｈ  ：純曲げ時の有孔部長期許容曲げ耐力
Ｍａｌｈｆ：純せん断時の有孔部長期許容せん断耐力Ｑａｌｈを保持したまま負担し
うる有孔部長期許容曲げ耐力
Ｍｄｓ    ：有孔部短期曲げモーメント
Ｍａｓｈ  ：純曲げ時の有孔部短期許容曲げ耐力
Ｍａｓｈｆ：純せん断時の有孔部短期許容せん断耐力Ｑａｓｈを保持したまま負担し
うる有孔部短期許容曲げ耐力
Ｍｄｕ    ：有孔部終局曲げモーメント
Ｍｕｈ    ：純曲げ時の有孔部終局曲げ耐力
Ｍｕｈｆ  ：純せん断時の有孔部終局せん断耐力Ｑａｌｈを保持したまま負担し
うる有孔部終局曲げ耐力
Ｑｄｌ    ：有孔部長期せん断力
Ｑａｌｈ  ：純せん断時の有孔部長期許容せん断耐力
Ｑｄｓ    ：有孔部短期せん断力
Ｑａｓｈ  ：純せん断時の有孔部短期許容せん断耐力
Ｑｄｕ    ：有孔部終局せん断力
Ｑｕｈ    ：純せん断時の有孔部終局せん断耐力
である。
次ぎに、ＣＰＵは、所定の耐力以上であれば、ステップＳ５０１で選択した補強金具を最終選定する（Ｓ５０３）。他方、所定の耐力以上でない場合、ＣＰＵは、仮選定された補強金具の型式に属する補強金具のすべてについて上記耐力の検討を行ったか否かを判断し（Ｓ５０４）、行っていれば処理を終了する一方、行っていなければ上記ステップを繰り返す。
【産業上の利用可能性】
【００４６】
本発明は、鉄骨梁に設けられたすべての貫通孔の補強設計に利用することができる。
【図面の簡単な説明】
【００４７】
【図１】本発明の実施の形態に係る補強設計支援システムが支援する補強設計の対象を示す図である。
【図２】本発明の実施の形態に係る補強設計支援システム（その１）を示す図である。
【図３】本発明の実施の形態に係る補強設計支援システム（その１）の動作を示す図である。
【図４】ファブリケータコンピュータ１００の機能を示すブロック図である。
【図５】建設コンピュータ２００の機能をブロック図である。
【図６】本発明の実施の形態に係る補強設計支援システム（その２）の動作を示すシーケンス図である。
【図７】ファブリケータコンピュータ１００の機能（その２）を示すブロック図である。
【図８】建設コンピュータ２００の機能（その２）を示すブロック図である。
【図９】本発明の実施の形態に係る補強設計支援システム（その３）を示す図である。
【図１０】本発明の実施の形態に係る補強設計支援システム（その３）の動作を示すシーケンス図である。
【図１１】選定コンピュータ４００の機能を示すブロック図である。
【図１２】仮選定の処理を実行可能なプログラムの一例を示すフローチャートである。
【図１３】補強金具の一般的な適用条件を記憶した仕様データの一例を示す図。
【図１４】補強金具の具体的な適用条件を記憶した仕様データの一例を示す図。
【図１５】最終選定の処理を実行可能なプログラムの一例を示すフローチャートである。
【符号の説明】
【００４８】
１００    ファブリケータコンピュータ
１０１    入力部
１０２    仕様記憶部
１０３    仮選定部
１０４    構造計算データ要求部
１０５    送信部
１０６    受信部
１０７    証明書記憶部
１０８    梁貫通孔データ記憶部
１０９    最終選定部
１１０    出力部
１１１    承認データ要求部
１２０    入力部
１２１    仕様記憶部
１２２    仮選定部
１２３    最終選定部
１２４    送信部
１２５    受信部
１２６    証明書記憶部
１２７    出力部
１２８    承認データ要求部
２００    建設コンピュータ
２０１    受信部
２０２    承認データ要求部
２０３    送信部
２０４    承認データ応答部
２０５    証明書記憶部
３００    構造コンピュータ
３０１    受信部
３０２    構造データ記憶部
３０３    最終選定部
３０４    送信部
３０５    承認応答部
３０６    証明書記憶部
４００    選定コンピュータ
４０１    受信部
４０２    最終戦底部
４０３    証明書記憶部
４０４    送信部
５００    鉄骨梁
６００    補強金具
１０００    ネットワーク
【図１】
2007164322.tif 000004
【図２】
2007164322.tif 000005
【図３】
2007164322.tif 000006
【図４】
2007164322.tif 000007
【図５】
2007164322.tif 000008
【図６】
2007164322.tif 000009
【図７】
2007164322.tif 000010
【図８】
2007164322.tif 000011
【図９】
2007164322.tif 000012
【図１０】
2007164322.tif 000013
【図１１】
2007164322.tif 000014
【図１２】
2007164322.tif 000015
【図１３】
2007164322.tif 000016
【図１４】
2007164322.tif 000017
【図１５】
2007164322.tif 000018